(57)【特許請求の範囲】
【請求項１】
切断された鍛造素材を鍛造プレスへ搬送する搬送路に、搬送される鍛造素材の幅方向に少なくとも一方が進退して幅寄せ案内する一対の幅寄せ案内板と、搬送される鍛造素材を搬送路から排除する排除手段を設けた鍛造素材搬送装置において、前記排除手段を、前記一対の幅寄せ案内板の途中に、前記搬送路の搬送方向に所定の長さの切欠き部を形成して、この切欠き部に、前記搬送路の幅方向で対向する内面が前記一対の幅寄せ案内板の内面と同一平面上にあり、一対の幅寄せ案内板と一体的に進退する一対の排除板を配設し、この一対の排除板をそれぞれ搬送路の上流側で前記一対の幅寄せ案内板に水平方向へ回動可能に取り付け、この一対の排除板を同一方向に回動して、前記搬送される鍛造素材を搬送路から排除するものとしたことを特徴とする鍛造素材搬送装置。
【請求項２】
前記切欠き部が前記幅寄せ案内板の下部に形成され、幅寄せ案内板が切欠き部の上側で連なったものとした請求項１に記載の鍛造素材搬送装置。
【請求項３】
前記搬送路の上流側に、前記切断された鍛造素材が落下するシュートが接続された請求項１または２に記載の鍛造素材搬送装置。
【発明の詳細な説明】
【技術分野】
【０００１】
本発明は、切断された鍛造素材を鍛造プレスへ搬送する鍛造素材搬送装置に関する。
【背景技術】
【０００２】
所定の長さに切断された鍛造素材を鍛造プレスへ搬送する鍛造素材搬送装置には、搬送路を搬送される鍛造素材を幅寄せ案内する幅寄せ案内板の他に、搬送される鍛造素材を搬送路から排除する排除手段を設け、鍛造素材が不良の場合や、鍛造プレスが故障等で停止した場合等に、鍛造素材を搬送路から排除するようにしたものがある（例えば、特許文献１、２参照）。
【０００３】
特許文献１に記載されたものは、加熱炉から鍛造素材が落下するシュートを上流側に接続した熱間鍛造プレスへの搬送路に、搬送される鍛造素材を幅寄せ案内する幅寄せ案内板を設け、幅寄せ案内板の下流の搬送路に、水平方向へ回動して加熱不足等で不良の鍛造素材を搬送路から排除する制御板（排除手段）を設けている。通常、排除された鍛造素材は、加熱炉に戻されて再加熱される。
【０００４】
また、特許文献２に記載されたものでは、熱間、温間または冷間の軸物素材や板物素材を鍛造プレスへ搬送する搬送路に、ハンドルで幅方向に進退される幅寄せ案内板を設け、幅寄せ案内板の上流の搬送路に、水平方向へ回動して不良の素材を搬送路から排除する排除手段を設けている。
【０００５】
【特許文献１】特開平５−１３８２８３号公報
【特許文献２】特開平１０−２１６８９４号公報（図５）
【発明の開示】
【発明が解決しようとする課題】
【０００６】
特許文献１および２に記載された鍛造素材搬送装置のように、幅寄せ案内板の上流や下流の搬送路に鍛造素材の排除手段を設けたものは搬送路が長くなり、多くのスペースを必要とする問題がある。また、特許文献１に記載されたように、熱間鍛造プレスへ鍛造素材を搬送する場合は、加熱された鍛造素材が温度低下しやすくなる問題もある。さらに、幅寄せ案内板の上流に排除手段を設けた場合は、搬送路の上流側に鍛造素材が落下するシュートを接続したものでは、鍛造素材が高速で搬送路に進入するので、鍛造素材を的確に排除することが難しい問題もある。
【０００７】
なお、搬送路を長くしないためには、幅寄せ案内板の途中に排除手段を設けることが考えられるが、排除手段を設けた部位で鍛造素材の幅寄せ案内ができなくなる問題がある。
【０００８】
そこで、本発明の課題は、搬送路を長くすることなく、かつ、搬送路での幅寄せ案内機能を損なうことなく、鍛造素材を搬送路から排除できるようにすることである。
【課題を解決するための手段】
【０００９】
上記の課題を解決するために、本発明は、切断された鍛造素材を鍛造プレスへ搬送する搬送路に、搬送される鍛造素材の幅方向に少なくとも一方が進退して幅寄せ案内する一対の幅寄せ案内板と、搬送される鍛造素材を搬送路から排除する排除手段を設けた鍛造素材搬送装置において、前記排除手段を、前記一対の幅寄せ案内板の途中に、前記搬送路の搬送方向に所定の長さの切欠き部を形成して、この切欠き部に、前記搬送路の幅方向で対向する内面が前記一対の幅寄せ案内板の内面と同一平面上にあり、一対の幅寄せ案内板と一体的に進退する一対の排除板を配設し、この一対の排除板をそれぞれ搬送路の上流側で前記一対の幅寄せ案内板に水平方向へ回動可能に取り付け、この一対の排除板を同一方向に回動して、前記搬送される鍛造素材を搬送路から排除するものとした構成を採用した。
【００１０】
すなわち、排除手段を、一対の幅寄せ案内板の途中に、搬送路の搬送方向に所定の長さの切欠き部を形成して、この切欠き部に、搬送路の幅方向で対向する内面が一対の幅寄せ案内板の内面と同一平面上にあり、一対の幅寄せ案内板と一体的に進退する一対の排除板を配設し、この一対の排除板をそれぞれ搬送路の上流側で一対の幅寄せ案内板に水平方向へ回動可能に取り付け、この一対の排除板を同一方向に回動して、搬送される鍛造素材を搬送路から排除するものとすることにより、搬送路を長くすることなく、かつ、搬送路での幅寄せ案内機能を損なうことなく、鍛造素材を搬送路から排除できるようにした。
【００１１】
前記切欠き部が前記幅寄せ案内板の下部に形成され、幅寄せ案内板が切欠き部の上側で連なったものとすることにより、幅寄せ案内板を一体で進退させることができる。
【００１２】
上述した鍛造素材搬送装置は、前記搬送路の上流側に、前記切断された鍛造素材が落下するシュートが接続されたものに好適である。
【発明の効果】
【００１３】
本発明の鍛造素材搬送装置は、排除手段を、一対の幅寄せ案内板の途中に、搬送路の搬送方向に所定の長さの切欠き部を形成して、この切欠き部に、搬送路の幅方向で対向する内面が一対の幅寄せ案内板の内面と同一平面上にあり、一対の幅寄せ案内板と一体的に進退する一対の排除板を配設し、この一対の排除板をそれぞれ搬送路の上流側で一対の幅寄せ案内板に水平方向へ回動可能に取り付け、この一対の排除板を同一方向に回動して、搬送される鍛造素材を搬送路から排除するものとしたので、搬送路を長くすることなく、かつ、搬送路での幅寄せ案内機能を損なうことなく、鍛造素材を搬送路から排除することができる。
【００１４】
前記切欠き部が幅寄せ案内板の下部に形成され、幅寄せ案内板が切欠き部の上側で連なったものとすることにより、幅寄せ案内板を一体で進退させることができる。
【発明を実施するための最良の形態】
【００１５】
以下、図面に基づき、本発明の実施形態を説明する。この鍛造素材搬送装置は、所定の長さに切断され、加熱炉で加熱された円柱状の鍛造素材Ａを熱間鍛造プレスに搬送するものであり、図１および図２に示すように、上流側に加熱炉から鍛造素材Ａが落下する入口側シュート１が接続され、下流側に鍛造プレスへ鍛造素材Ａを供給する出口側シュート２が接続された搬送路３に、搬送される鍛造素材Ａの幅方向に進退して幅寄せ案内する一対の幅寄せ案内板４が設けられ、その途中に搬送路３の搬送方向に所定の長さの切欠き部４ａが形成されて、これらの切欠き部４ａに、搬送路３の幅方向で対向する一対の排除板５ａ、５ｂが配設されている。
【００１６】
前記搬送路３は、下流側の駆動スプロケット６ａと上流側の従動スプロケット６ｂとにチェーン７を巻回したチェーンコンベアで形成され、下流側が出口側シュート２に向かって少し下降傾斜している。また、巻回されたチェーン７は、複数の案内スプロケット６ｃと案内レール８で案内されている。各スプロケット６ａ、６ｂ、６ｃはフレーム９に回転自在に支持され、駆動スプロケット６ａはモータ１０でチェーン駆動される。
【００１７】
前記一対の幅寄せ案内板４は、入口側シュート１が接続された搬送路３の入口から、出口側シュート２が接続された搬送路３の出口まで延び、搬送路３の上流側と下流側に設けられた一対のハンドル１１を操作することにより、搬送される鍛造素材Ａの幅方向に両側から進退するようになっている。
【００１８】
図３に示すように、前記各ハンドル１１は、チェーンコンベアのフレーム９に搬送路３の両側で立設された支持板１２に差し渡されたねじ軸１３を回転させるものである。ねじ軸１３は、中央部の両側で互いに逆向きのねじが切られており、この逆向きのねじが切られた中央部の両側にそれぞれナット１４ａ、１４ｂが螺着され、これらの各ナット１４ａ、１４ｂに、一対の幅寄せ案内板４が搬送路３の中心の両側で垂下されるように取り付けられている。各幅寄せ案内板４の下部の内面には、搬送される鍛造素材Ａを直接案内する案内部材４ｂが取り付けられている。したがって、ハンドル１１でねじ軸１３を回転させることにより、一対の幅寄せ案内板４が搬送される鍛造素材Ａの両側から幅方向に進退し、鍛造素材Ａを幅寄せ案内する。
【００１９】
図２および図４に示すように、前記一対の幅寄せ案内板４の切欠き部４ａは、案内部材４ｂが取り付けられた下部に形成され、一対の排除板５ａ、５ｂは、高さと厚みが案内部材４ｂと同じ寸法とされている。各幅寄せ案内板４は、切欠き部４ａの上側で連なっているので、ハンドル１１の操作によって一体で幅方向に進退する。また、一対の排除板５ａ、５ｂも、後述するように、各幅寄せ案内板４に回動可能に取り付けられているので、一対の幅寄せ案内板４と一体的に幅方向に進退する。
【００２０】
前記各排除板５ａ、５ｂは、搬送路３の上流側で幅寄せ案内板４に取り付けられ、各排除板５ａ、５ｂの上流側端に設けられた回転軸１５で水平方向に回動可能となっており、同じく幅寄せ案内板４にブラケット１６で取り付けられたシリンダ１７によって、図４中に一点鎖線で示すように、同一の水平方向へ回動されるようになっている。この実施形態では、一対の排除板５ａ、５ｂが搬送路３の手前側へ回動するようになっており、排除板５ａ、５ｂで搬送路３の幅方向の手前側へ排除される鍛造素材Ａは、排出シュート１８へ落下し、加熱炉へ戻される。
【００２１】
前記搬送路３の手前側の排除板５ａは、奥側の排除板５ｂよりも少し長く形成され、その先端には、下流側の案内部材４ｂの外面に当接されるストッパ板１９ａが取り付けられている。また、奥側の排除板５ｂの先端は、下流側の案内部材４ｂの外面に取り付けられたストッパ板１９ｂに当接されるようになっており、定常状態では、各排除板５ａ、５ｂがそれぞれストッパ板１９ａ、１９ｂで位置決めされて、これらの内面が、前後の案内部材４ｂの内面と同一平面上に位置するようになっている。
【００２２】
したがって、定常状態では、前記前後の案内部材４ｂの内面と同一平面上に位置する一対の排除板５ａ、５ｂの内面によって、排除板５ａ、５ｂの配設部位でも幅寄せ案内機能が確保されるとともに、各排除板５ａ、５ｂの内面と前後の案内部材４ｂの内面との間に凹凸の段差が生じることもないので、鍛造素材Ａが支えることなくスムーズに搬送される。
【００２３】
上述した実施形態では、一対の幅寄せ案内板の両方が搬送される鍛造素材の幅方向に進退するものとしたが、一方の幅寄せ案内板のみを幅方向に進退させ、他方の幅寄せ案内板は固定してもよい。
【００２４】
また、上述した実施形態では、鍛造素材を熱間鍛造プレスへ搬送するものとしたが、本発明に係る鍛造素材搬送装置は、温間や冷間鍛造での鍛造プレスへ鍛造素材を搬送するものにも適用することができる。
【図面の簡単な説明】
【００２５】
【図１】鍛造素材搬送装置の実施形態を示す切欠き平面図
【図２】図１の切欠き正面図
【図３】図１のIII−III線に沿った断面図
【図４】図１の要部を拡大して示す切欠き平面図
【符号の説明】
【００２６】
Ａ  鍛造素材
１、２  シュート
３  搬送路
４  幅寄せ案内板
４ａ  切欠き部
４ｂ  案内部材
５ａ、５ｂ  排除板
６ａ、６ｂ、６ｃ  スプロケット
７  チェーン
８  案内レール
９  フレーム
１０  モータ
１１  ハンドル
１２  支持板
１３  ねじ軸
１４ａ、１４ｂ  ナット
１５  回転軸
１６  ブラケット
１７  シリンダ
１８  排出シュート
１９ａ、１９ｂ  ストッパ板
【図１】
0004927692.tif 000002
【図２】
0004927692.tif 000003
【図３】
0004927692.tif 000004
【図４】
0004927692.tif 000005